(57)【要約】【課題】通信路によって接続された外部機器を連動させて操作することのできる電子機器を提供する。【解決手段】電子機器１００Ａは、操作内容に基づいて制御コマンドを出力するリモコン３０Ａと、電子機器１００Ｂと双方向に通信するとともに、電子機器１００Ｂとの接続状態をステータスとして出力する通信コントローラ１１１Ａと、制御コマンドに基づいて動作するとともに、動作状態をステータスとして出力するテレビ再生プログラム１０３ａと、リモコン３０Ａから出力される制御コマンドと、テレビ再生プログラム１０３ａから出力されるステータスと、通信コントローラ１１１Ａから出力されるステータスと、に基づいてテレビ再生プログラム１０３ａに出力する制御コマンドと通信コントローラ１１１Ａを介して電子機器１００Ｂに出力する制御コマンドとを決定する制御コマンド変換部１１０Ａとを有する。【選択図】図１
2010011295.tif 000002
【特許請求の範囲】
【請求項１】
操作内容に基づいて第１の制御信号を出力する操作部と、
外部機器と双方向に通信するとともに、前記外部機器との接続状態を接続状態信号として出力する通信部と、
前記制御信号に基づいて動作するとともに、動作状態を動作状態信号として出力する動作部と、
前記操作部から出力される前記第１の制御信号と、前記動作部から出力される前記動作状態信号と、前記通信部から出力される前記接続状態信号と、に基づいて前記動作部に出力する第２の制御信号と前記通信部を介して前記外部機器に出力する第３の制御信号とをそれぞれ決定する制御信号変換部とを有することを特徴とする電子機器。
【請求項２】
前記動作部は、放送波を受信して映像を表示することを特徴とする請求項１に記載の電子機器。
【請求項３】
前記制御信号変換部は、前記操作部から出力される前記第１の制御信号がチャンネル切替である場合、前記動作部に前記第２の制御信号としてチャンネル切替の制御信号を出力するとともに、前記動作部から前記動作状態信号として表示中の映像に関するチャンネル情報を取得して、前記チャンネル情報がマルチチャンネル対応である場合、前記動作部において表示中の前記映像と異なる番組を前記外部機器において表示するよう、前記第３の制御信号を前記通信部を介して前記外部機器に出力することを特徴とする請求項２に記載の電子機器。
【請求項４】
前記制御信号変換部は、前記操作部から出力される前記第１の制御信号がチャンネル切替である場合、前記動作部に前記第２の制御信号としてチャンネル切替の制御信号を出力するとともに、前記動作部から前記動作状態信号として表示中の映像に関するチャンネル情報を取得して、前記チャンネル情報がマルチアングル対応である場合、前記動作部において表示中の前記映像と異なるアングルを前記外部機器において表示するよう、前記第３の制御信号を前記通信部を介して前記外部機器に出力することを特徴とする請求項２に記載の電子機器。
【請求項５】
前記制御信号変換部は、前記操作部から出力される前記第１の制御信号がデータ放送表示である場合、前記動作部において表示中の前記映像に関するデータ放送を前記外部機器において表示するよう、前記第３の制御信号を前記通信部を介して前記外部機器に出力することを特徴とする請求項２に記載の電子機器。
【請求項６】
前記制御信号変換部は、前記操作部から出力される前記第１の制御信号が番組表表示である場合、前記動作部において表示中の前記映像に関する番組表を前記外部機器において表示するよう、前記第３の制御信号を前記通信部を介して前記外部機器に出力することを特徴とする請求項２に記載の電子機器。
【請求項７】
前記制御信号変換部は、前記通信部を介して前記外部機器から制御信号が入力された場合、前記制御信号を前記動作部に出力することを特徴とする請求項１に記載の電子機器。
【発明の詳細な説明】
【技術分野】
【０００１】
本発明は、電子機器に関する。
【背景技術】
【０００２】
従来、付属するリモコンを操作することで、通信路で接続された録画再生装置の動作を制御することができる電子機器が知られている（例えば、特許文献１参照）。
【０００３】
この電子機器は、電子機器を遠隔操作可能なリモコンと、リモコンの遠隔操作信号を受信する受信部と、録画再生装置と接続される通信路と、各部を制御する制御部とを有し、リモコンによって、例えば、番組を録画するよう操作すると、受信部が遠隔操作信号を受信し、制御部が遠隔操作信号を録画再生装置を動作させるためのプロトコルに変換し、通信路を介してプロトコルを録画再生装置に送信することで、番組を録画するよう録画再生装置を動作させるため、録画再生装置のリモコンを用いることなく録画再生装置を操作させることができる。
【特許文献１】特開２００８−３４９６５号公報
【発明の開示】
【発明が解決しようとする課題】
【０００４】
しかし、従来の電子機器によると、電子機器のリモコンを用いて電子機器の遠隔操作と、電子機器と通信路で接続された録画再生装置の遠隔操作とをそれぞれ実行することができるが、電子機器と外部機器とを同時に操作することはできず、電子機器の操作と、録画再生装置の操作とを別々に行う必要があるという問題がある。
【０００５】
従って、本発明の目的は、通信路によって接続された外部機器を連動させて操作することのできる電子機器を提供することにある。
【課題を解決するための手段】
【０００６】
（１）本発明は上記目的を達成するため、操作内容に基づいて第１の制御信号を出力する操作部と、外部機器と双方向に通信するとともに、前記外部機器との接続状態を接続状態信号として出力する通信部と、前記制御信号に基づいて動作するとともに、動作状態を動作状態信号として出力する動作部と、前記操作部から出力される前記第１の制御信号と、前記動作部から出力される前記動作状態信号と、前記通信部から出力される前記接続状態信号と、に基づいて前記動作部に出力する第２の制御信号と前記通信部を介して前記外部機器に出力する第３の制御信号とをそれぞれ決定する制御信号変換部とを有することを特徴とする電子機器を提供する。
【０００７】
上記した構成によれば、制御信号変換部は、操作部から第１の制御信号が入力されると、動作部の動作状態と、通信部の接続状態とに基づいて、動作部へ出力する第２の制御信号と、外部機器へ出力する第３の制御信号とをそれぞれ決定するため、操作部の１つの操作で電子機器と外部機器とを連動させて動作させることができる。
【発明の効果】
【０００８】
本発明によれば、通信路によって接続された外部機器を連動させて操作することのできる。
【発明を実施するための最良の形態】
【０００９】
以下に、本発明の電子機器の実施の形態を、図面を参照して詳細に説明する。
【００１０】
〔実施の形態〕
（電子機器の構成）
図１は、本発明の実施の形態に係る電子機器の外観を示す概略図である。
【００１１】
電子機器１００Ａ、及び電子機器１００Ｂは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル２００によって双方向通信可能に接続されている。以下において、電子機器１００Ｂは電子機器１００Ａと同様の構成を有するため、電子機器１００Ａの構成について説明する。電子機器１００Ａは、デジタル放送波を受信して表示可能で、本実施の形態において、電子機器１００Ａは、リモコン３０Ａによって操作される。
【００１２】
この電子機器１００Ａは、上部筐体１０Ａと下部筐体２０Ａとから構成され、上部筐体１０Ａと下部筐体２０Ａとはヒンジ部により開閉自在に接続されている。上部筐体１０Ａは、正面に文字や画像等を表示する液晶表示パネル等からなる画像表示部１Ａと、内部にデジタル放送波を受信するアンテナ１０８Ａとを有する。
【００１３】
下部筐体２０Ａは、ＣＰＵ（Ｃｅｎｔｒａｌ  Ｐｒｏｃｅｓｓｉｎｇ  Ｕｎｉｔ）やメモリ等の電子部品を実装するとともにＨＤＤ（Ｈａｒｄ  Ｄｉｓｃ  Ｄｒｉｖｅ）等をコネクタを介して接続するシステム基板である本体機能部２Ａを内部に有し、文字やコマンドを入力するためのキーボード等の文字入力部３Ａと、ポインティングデバイスとしてのトラックパッド４０Ａ及び決定スイッチ４１Ａと、音声を出力するスピーカ１０５Ａと、リモコン３０Ａの赤外線等を用いた遠隔操作信号を受信するリモコン受信部１０９Ａと、ＨＤＭＩケーブル２００のコネクタと接続されるＨＤＭＩポート１１２Ａとを表面に有する。
【００１４】
図２は、本発明の実施の形態に係る電子機器の構成を示すブロック図である。
【００１５】
電子機器１００Ａは、オペレーティングシステムや各種プログラムを実行するＣＰＵ１０１Ａと、表示コントローラや音声出力コントローラ等の各部を制御するコントローラを有するホストコントローラ１０２Ａと、データを一時的に保存してＣＰＵ１０１Ａの動作を補助するメモリ１０３Ａと、各部を相互に接続するバス１０４Ａと、音声を出力するスピーカ１０５Ａと、オペレーティングシステムや各種アプリケーションを記憶する記憶部１０６Ａと、デジタル放送波の復調してパケットをメモリ１０３Ａに一旦格納するデジタルチューナ１０７Ａと、デジタル放送波を受信するアンテナ１０８Ａと、リモコン３０Ａの遠隔操作信号を受信して第１の制御信号としての制御コマンドを出力するリモコン受信部１０９Ａと、制御コマンドを条件に応じて変換して出力する制御コマンド変換部１１０Ａと、受信した信号を通信用プロトコルに変換して外部機器との双方向通信を行う通信部としての通信コントローラ１１１Ａと、ＨＤＭＩケーブル２００のＨＤＭＩコネクタと接続されるＨＤＭＩポート１１２Ａと、文字入力部３Ａとトラックパッド４０Ａと決定スイッチ４１Ａと含むスイッチ群とからなる操作部１１３Ａとを有する。
【００１６】
メモリ１０３Ａは、電子機器１００Ａが起動される際に記憶部１０６Ａから読み出された動作部としてのテレビ再生プログラム１０３ａを格納する。テレビ再生プログラム１０３ａは、ＣＰＵ１０１において動作する。ここで、テレビ再生プログラム１０３ａは、デジタル放送波に含まれる番組、データ放送、及び電子番組表等のコンテンツを再生するためのプログラムである。
【００１７】
テレビ再生プログラム１０３ａは、デジタルチューナ１０７Ａ、及びアンテナ１０８Ａにおいて受信、復調されてメモリ１０３Ａに一旦格納されたパケットを復号化して、映像信号と音声信号とに分離し、それぞれの信号をホストコントローラ１０２Ａによって処理させることで画像表示部１Ａから映像を、スピーカ１０５Ａから音声を出力させる。
【００１８】
また、テレビ再生プログラム１０３ａは、１チャンネルあたり１３セグメントから構成されるデジタル放送波を再生する。ハイビジョン放送（ＨＤＴＶ）の再生の際は、１番組あたり映像情報及び音声情報として１２セグメントからなる情報を再生し、通常画質の放送（ＳＤＴＶ）の再生の際は、１番組あたり４セグメントからなる情報を再生する。
【００１９】
そのため、テレビ再生プログラム１０３ａは、通常画質の放送において、１チャンネルに３つの番組に相当する情報を束ねることができることとなり、１チャンネルに３つの番組を含めたり、１チャンネルに３つのアングルを含めたりすることができる。これらをそれぞれ、マルチチャンネル、及びマルチアングルに対応した番組と呼ぶ。
【００２０】
また、テレビ再生プログラム１０３ａは、各番組に付随する情報であるデータ放送の表示、及びデジタル放送波に含まれる電子番組表の表示が可能である。
【００２１】
図３は、本発明の実施の形態に係る電子機器の制御コマンドの内容を示す概略図である。
【００２２】
制御コマンド１１０ａは、制御コマンド変換部１１０Ａ、ホストコントローラ１０２Ａ、及びリモコン３０Ａの図示しないＲＯＭに記録されており、各コマンド名に、それぞれ制御コマンド値と制御サブコマンド値とが設定されている。
【００２３】
表示チャンネルを切り替えるためのコマンド名「チャンネル切替」には、制御コマンド値として「０ｘ０１」、制御サブコマンド値として「０ｘ００〜０ｘＦＦ」が設定される。制御サブコマンド値は、下二桁にチャンネル数が設定される。
【００２４】
データ放送を表示するためのコマンド名「データ放送表示」には、制御コマンド値として「０ｘ０２」、制御サブコマンド値として「０ｘ００」が設定される。
【００２５】
電子番組表を表示するためのコマンド名「電子番組表表示」には、制御コマンド値として「０ｘ０３」、制御サブコマンド値として「０ｘ００」が設定される。
【００２６】
マルチチャンネル対応の番組を視聴している場合に他のマルチチャンネルを表示するためのコマンド名「マルチチャンネル再生」には、制御コマンド値として「０ｘ０４」、制御サブコマンド値として番組１〜番組３を示す「０ｘ０１〜０ｘ０３」が設定される。
【００２７】
マルチアングル再生対応の番組を視聴している場合に他のマルチアングルを表示するためのコマンド名「マルチアングル再生」には、制御コマンド値として「０ｘ０５」、制御サブコマンド値としてアングル１〜アングル３を示す「０ｘ０１〜０ｘ０３」が設定される。
【００２８】
図４は、本発明の実施の形態に係る電子機器のＨＤＭＩステータスの内容を示す概略図である。
【００２９】
接続状態信号としてのＨＤＭＩステータス１１０ｂは、通信コントローラ１１１Ａの図示しないＲＯＭに格納されて制御コマンド変換部１１０Ａに送信される情報であり、値とステータスとが設定されている。値「０」は、ＨＤＭＩポート１１２Ａに外部機器が接続されていない場合、値「１」は、ＨＤＭＩポート１１２Ａに外部機器が接続されている場合を示す。
【００３０】
図５は、本発明の実施の形態に係る電子機器のマルチチャンネルステータスの内容を示す概略図である。
【００３１】
マルチチャンネルステータス１１０ｃは、テレビ再生プログラム１０３ａから制御コマンド変換部１１０Ａに送信される情報であり、値とステータスが設定されている。値「１０」は、テレビ再生プログラム１０３ａにおいて再生中の番組がマルチチャンネルに対応していない番組である場合を示す。値「１１」は、テレビ再生プログラム１０３ａにおいて再生中の番組がマルチチャンネルに対応しており、マルチチャンネルの番組１を再生中である場合、値「１２」は、テレビ再生プログラム１０３ａにおいて再生中の番組がマルチチャンネルに対応しており、マルチチャンネルの番組２を再生中である場合、値「１３」は、テレビ再生プログラム１０３ａにおいて再生中の番組がマルチチャンネルに対応しており、マルチチャンネルの番組３を再生中である場合を示す。
【００３２】
図６は、本発明の実施の形態に係る電子機器のマルチアングルステータスの内容を示す概略図である。
【００３３】
マルチアングルステータス１１０ｄは、テレビ再生プログラム１０３ａから制御コマンド変換部１１０Ａに送信される情報であり、値とステータスが設定されている。値「２０」は、テレビ再生プログラム１０３ａにおいて再生中の番組がマルチアングルに対応していない番組である場合を示す。値「２１」は、テレビ再生プログラム１０３ａにおいて再生中の番組がマルチアングルに対応しており、マルチアングルのアングル１を再生中である場合、値「２２」は、テレビ再生プログラム１０３ａにおいて再生中の番組がマルチアングルに対応しており、マルチアングルのアングル２を再生中である場合、値「３３」は、テレビ再生プログラム１０３ａにおいて再生中の番組がマルチアングルに対応しており、マルチアングルのアングル３を再生中である場合を示す。
【００３４】
（動作）
以下に、本発明の実施の形態における電子機器の動作を各図を参照しつつ説明する。
【００３５】
電子機器１００Ａは、テレビ再生プログラム１０３ａが起動されると、選択された番組について、アンテナ１０８Ａ、及びデジタルチューナ１０７Ａによってデジタル放送波を受信し、デコードして映像信号と音声信号とを生成し、映像信号を表示制御部１０４で処理して画像表示部１Ａに表示し、音声信号をスピーカから出力する。
【００３６】
リモコン３０Ａは、テレビ再生プログラム１０３ａにおいて再生する番組のチャンネル切替、データ放送表示、及び電子番組表表示等の操作を実行することができる。また、再生中の番組がマルチチャンネル再生、又はマルチアングル再生に対応している場合は、視聴中のチャンネル、又はアングルから他のチャンネル、又はアングルに切り替えることができる。
【００３７】
また、電子機器１００Ａと電子機器１００Ｂとの通信は、それぞれ通信コントローラ１１１Ａと通信コントローラ１１１Ｂとで実行され、ＨＤＭＩケーブル２００のＩ２ＣであるＣＥＣ（Ｃｏｎｓｕｍｅｒ  Ｅｌｅｃｔｒｏｎｉｃｓ  Ｃｏｎｔｒｏｌ）制御線を介して情報が送受信される。なお、電子機器１００Ａと電子機器１００Ｂとの通信は、ＨＤＭＩに限らず、ＵＳＢ（Ｕｎｉｖｅｒｓａｌ  Ｓｅｒｉａｌ  Ｂｕｓ）、ＩＥＥＥ１３９４、ＬＡＮ等の規格で行っても良い。
【００３８】
図７は、本発明の実施の形態に係る電子機器の動作例を示すフローチャートである。
【００３９】
制御コマンド変換部１１０Ａは、リモコン受信部１０９Ａを介してリモコン３０Ａからチャンネル切替に関する制御コマンド（第１の制御信号）を受信すると（Ｓ１０）、テレビ再生プログラム１０３ａに対してリモコン３０Ａから指定されたチャンネル切替コマンド（第２の制御信号）、例えば、「０ｘ０１０ｘ０５」（チャンネル０５に切替）を通知する（Ｓ１１）。
【００４０】
次に、制御コマンド変換部１１０Ａは、通信コントローラ１１１ＡにアクセスしてＨＤＭＩポート１１２Ａのステータス（接続状態信号）を取得し、値が「１」、つまり、ステータスが「外部機器が接続されている」である場合（Ｓ１２；１）、テレビ再生プログラム１０３ａから再生中の番組の番組情報（動作状態信号）を取得する（Ｓ１３）。
【００４１】
制御コマンド変換部１１０Ａは、取得した番組情報から、値が「１１」〜「１３」のいずれか、つまりステータスが「再生中の番組がマルチチャンネル対応番組である」であると判断した場合（Ｓ１４；Ｙｅｓ）、電子機器１００Ｂにおいてマルチチャンネルの異なる番組を再生するように通信コントローラ１１１Ａ、ＨＤＭＩポート１１２Ａ、及びＨＤＭＩケーブル２００を介して電子機器１００Ｂに対して制御コマンド（第３の制御信号）を送信する（Ｓ１６）。
【００４２】
なお、ステップＳ１６において、例えば、値が「１１」、つまり電子機器１００Ａがマルチチャンネルの番組１を再生中である場合は、マルチチャンネルの番組２を再生するよう、電子機器１００Ｂに制御コマンド「０ｘ０４０ｘ０２」を送信する。同様に、値が「１２」、つまりマルチチャンネルの番組２を再生中である場合は、制御コマンド「０ｘ０４０ｘ０３」を、値が「１３」、つまりマルチチャンネルの番組３を再生中である場合は、制御コマンド「０ｘ０４０ｘ０１」を送信する。
【００４３】
また、ステップＳ１４においてマルチチャンネル対応番組でないと判断した場合（Ｓ１４；Ｎｏ）は、制御コマンド変換部１１０Ａは、取得した番組情報から、値が「２１」〜「２３」のいずれか、つまりステータスが「再生中の番組がマルチアングル対応番組である」であると判断した場合（Ｓ１５；Ｙｅｓ）、電子機器１００Ｂにおいて異なるアングルを再生するように通信コントローラ１１１Ａ、ＨＤＭＩポート１１２Ａ、及びＨＤＭＩケーブル２００を介して電子機器１００Ｂに対して制御コマンドを送信する（Ｓ１７）。
【００４４】
なお、ステップＳ１７において、例えば、値が「２１」、つまり電子機器１００Ａがアングル１を再生中である場合は、アングル２を再生するよう、電子機器１００Ｂに制御コマンド「０ｘ０５０ｘ０２」を送信する。同様に、値が「２２」、つまりアングル２を再生中である場合は、制御コマンド「０ｘ０５０ｘ０３」を、値が「２３」、つまりアングル３を再生中である場合は、制御コマンド「０ｘ０５０ｘ０１」を送信する。
【００４５】
また、ステップＳ１２において値が「０」、つまり、ステータスが「外部機器が接続されていない」である場合（Ｓ１２；０）、動作を終了する。
【００４６】
また、電子機器１００Ｂは、ステップＳ１６、又はステップＳ１７において電子機器１００ＡからＨＤＭＩポート１１２Ｂ、及び通信コントローラ１１１Ｂを介して制御コマンドを受信すると、制御コマンド変換部１１０Ｂからテレビ再生プログラム１０３ｂに制御コマンドを通知する。
【００４７】
図８は、本発明の実施の形態に係る電子機器の他の動作例を示すフローチャートである。
【００４８】
制御コマンド変換部１１０Ａは、リモコン受信部１０９Ａを介してリモコン３０Ａからデータ放送表示に関する制御コマンドを受信すると（Ｓ２０）、通信コントローラ１１１ＡにアクセスしてＨＤＭＩポート１１２Ａのステータスを取得し、値が「１」、つまり、ステータスが「外部機器が接続されている」である場合（Ｓ２１；１）、テレビ再生プログラム１０３ａから再生中の番組の番組情報を取得する（Ｓ２２）。
【００４９】
制御コマンド変換部１１０Ａは、電子機器１００Ｂにおいて番組情報から視聴中の番組に関するデータ放送を表示するよう通信コントローラ１１１Ａ、ＨＤＭＩポート１１２Ａ、及びＨＤＭＩケーブル２００を介して電子機器１００Ｂに対して制御コマンド「０ｘ０２０ｘ００」を送信する（Ｓ２３）。
【００５０】
また、ステップＳ２１において値が「０」、つまり、ステータスが「外部機器が接続されていない」である場合（Ｓ２１；０）、電子機器１００Ａにおいてデータ放送を表示するようにテレビ再生プログラム１０３ａに制御コマンド「０ｘ０２０ｘ００」を通知する（Ｓ２４）。
【００５１】
また、電子機器１００Ｂは、ステップＳ２３において電子機器１００ＡからＨＤＭＩポート１１２Ｂ、及び通信コントローラ１１１Ｂを介して制御コマンドを受信すると、制御コマンド変換部１１０Ｂからテレビ再生プログラム１０３ｂに制御コマンドを通知する。
【００５２】
図９は、本発明の実施の形態に係る電子機器のさらに他の動作例を示すフローチャートである。
【００５３】
制御コマンド変換部１１０Ａは、リモコン受信部１０９Ａを介してリモコン３０Ａから電子番組表表示に関する制御コマンドを受信すると（Ｓ３０）、通信コントローラ１１１ＡにアクセスしてＨＤＭＩポート１１２Ａのステータスを取得し、値が「１」、つまり、ステータスが「外部機器が接続されている」である場合（Ｓ３１；１）、電子機器１００Ｂにおいて電子番組表を表示するよう通信コントローラ１１１Ａ、ＨＤＭＩポート１１２Ａ、及びＨＤＭＩケーブル２００を介して電子機器１００Ｂに対して制御コマンド「０ｘ０３０ｘ００」を送信する（Ｓ３２）。
【００５４】
また、ステップＳ３１において値が「０」、つまり、ステータスが「外部機器が接続されていない」である場合（Ｓ３１；０）、電子機器１００Ａにおいてデータ放送を表示するようにテレビ再生プログラム１０３ａに制御コマンド「０ｘ０３０ｘ００」を通知する（Ｓ２４）。
【００５５】
また、電子機器１００Ｂは、ステップＳ３１において電子機器１００ＡからＨＤＭＩポート１１２Ｂ、及び通信コントローラ１１１Ｂを介して制御コマンドを受信すると、制御コマンド変換部１１０Ｂからテレビ再生プログラム１０３ｂに制御コマンドを通知する。
【００５６】
（実施の形態の効果）
上記した実施の形態によると、リモコン３０Ａによって操作された内容が制御コマンドとして制御コマンド変換部１１０Ａに入力すると、制御コマンド変換部１１０Ａは、テレビ再生プログラム１０３ａのステータス、電子機器１００Ｂのステータスに基づいて変換した制御コマンドを生成して、テレビ再生プログラム１０３ａ及び１０３ｂのそれぞれに送信するため、リモコン３０Ａによって電子機器１００Ａ、及び１００Ｂの動作を連動させることができる。
【００５７】
また、ＨＤＭＩケーブル２００を介して送信される情報は、数ビットの情報であるため高速な通信を必要とせずに本発明を構成できる。
【００５８】
なお、電子機器１００Ａ及び１００Ｂの操作は、リモコン３０Ａ以外に、文字入力部３Ａ、トラックパッド４０Ａ、決定スイッチ４１Ａ等の操作部１１３Ａを用いてもよい。
【００５９】
電子機器１００Ｂは、電子機器１００Ａと同一の構成でなくとも、通信コントローラ１１１Ｂ、制御コマンド変換部１１０Ｂ、及びテレビ再生プログラム１０３ｂが同一の規格で動作するものであればよい。また、本発明はテレビ再生プログラムの動作に限るものではなく、その他のアプリケーションをメインメモリに読み込んで電子機器１００Ａと１００Ｂとで動作させる構成としてもよい。
【００６０】
また、電子機器１００Ａ、及び１００Ｂの２台での接続に限らず、複数台の電子機器を接続して連動させる構成にしてもよい。
【図面の簡単な説明】
【００６１】
【図１】本発明の実施の形態に係る電子機器の外観を示す概略図である。
【図２】本発明の実施の形態に係る電子機器の構成を示すブロック図である。
【図３】本発明の実施の形態に係る電子機器の制御コマンドの内容を示す概略図である。
【図４】本発明の実施の形態に係る電子機器のＨＤＭＩステータスの内容を示す概略図である。
【図５】本発明の実施の形態に係る電子機器のマルチチャンネルステータスの内容を示す概略図である。
【図６】本発明の実施の形態に係る電子機器のマルチアングルステータスの内容を示す概略図である。
【図７】本発明の実施の形態に係る電子機器の動作例を示すフローチャートである。
【図８】本発明の実施の形態に係る電子機器の他の動作例を示すフローチャートである。
【図９】本発明の実施の形態に係る電子機器のさらに他の動作例を示すフローチャートである。
【符号の説明】
【００６２】
１Ａ…画像表示部、２Ａ…本体機能部、３Ａ…文字入力部、１０Ａ…上部筐体、２０Ａ…下部筐体、３０Ａ…リモコン、４０Ａ…トラックパッド、４１Ａ…決定スイッチ、１００Ａ…電子機器、１００Ｂ…電子機器、１０１Ａ…ＣＰＵ、１０２Ａ…ホストコントローラ、１０３ａ…テレビ再生プログラム、１０３ｂ…テレビ再生プログラム、１０３Ａ…メモリ、１０４Ａ…表示制御部、１０５Ａ…スピーカ、１０６Ａ…記憶部、１０７Ａ…デジタルチューナ、１０８Ａ…アンテナ、１０９Ａ…リモコン受信部、１１０ａ…制御コマンド、１１０ｂ…ステータス、１１０ｃ…マルチチャンネルステータス、１１０ｄ…マルチアングルステータス、１１０Ａ…制御コマンド変換部、１１０Ｂ…制御コマンド変換部、１１１Ａ…通信コントローラ、１１１Ｂ…通信コントローラ、１１２Ａ…ＨＤＭＩポート、１１２Ｂ…ＨＤＭＩポート、１１３Ａ…操作部、２００…ＨＤＭＩケーブル
【図１】
2010011295.tif 000003
【図２】
2010011295.tif 000004
【図３】
2010011295.tif 000005
【図４】
2010011295.tif 000006
【図５】
2010011295.tif 000007
【図６】
2010011295.tif 000008
【図７】
2010011295.tif 000009
【図８】
2010011295.tif 000010
【図９】
2010011295.tif 000011